(57)【特許請求の範囲】
【請求項１】
光ディスクの所定領域にテストデータを記録し、該テストデータの再生信号品質に基づいて最適記録パワーを設定するとともに、前記光ディスクにデータを記録する際の前記光ディスクからの戻り光量が目標値に一致するように前記最適記録パワーを増減調整する光ディスク装置であって、
前記戻り光量が目標値に一致する記録パワーが最大許容パワーを超える場合に、前記光ディスクの種類に応じて定まる基準記録ストラテジから、より低いパワーでデータを記録できる低パワー記録ストラテジに変更することを特徴とする光ディスク装置。
【請求項２】
請求項１記載の装置において、
前記低パワー記録ストラテジは、前記基準記録ストラテジのパルス時間幅を増大させたストラテジであることを特徴とする光ディスク装置。
【請求項３】
請求項１、２のいずれかに記載の装置において、さらに、
変更前の記録ストラテジにおける記録パワーに基づき変更後の記録パワーを算出するレーザパワー設定手段と、
を有し、算出された前記記録パワー及び変更後の記録ストラテジでデータを記録することを特徴とする光ディスク装置。
【請求項４】
請求項３記載の装置において、さらに、
変更後の記録ストラテジにおける目標値を算出する目標値設定手段と、
を有し、算出された前記目標値に一致するように前記変更後の記録パワーを制御することを特徴とする光ディスク装置。
【請求項５】
請求項３記載の装置において、
前記レーザパワー設定手段は、
前記変更後の記録ストラテジにおける記録パワーと再生信号品質との関係を記憶する手段と、
を有し、前記変更前の記録ストラテジにおける記録パワーで得られる再生信号品質と同等の再生信号品質が前記変更後の記録ストラテジで得られる記録パワーを前記関係に基づき算出することを特徴とする光ディスク装置。
【請求項６】
請求項４記載の装置において、
前記目標値設定手段は、
前記変更後の記録ストラテジにおける記録パワーとその戻り光量との関係を記憶する手段と、
を有し、前記関係に基づいて前記変更後の記録パワーにおける戻り光量の目標値を算出することを特徴とする光ディスク装置。
【発明の詳細な説明】
【０００１】
【発明の属する技術分野】
本発明は光ディスク装置、特に記録可能な光ディスクにデータを記録する際の記録条件を最適化する技術に関する。
【０００２】
【従来の技術】
従来より、ＣＤ−Ｒなどの光ディスク装置においては、レーザダイオード（ＬＤ）から再生パワー以上の記録パワーのレーザ光を照射して光ディスクにデータを記録している。この際、記録パワーを最適化するために、ＯＰＣ及びＲＯＰＣと呼ばれる技術が用いられている。ＯＰＣでは、光ディスクの所定位置（ＰＣＡエリア）において記録パワーを複数段階（例えば１５段階）に変化させてテスト記録し、テスト記録データの再生信号品質（例えばベータ値）が所望の値となる記録パワーを最適記録パワーに決定している。
【０００３】
一方、ＯＰＣにより記録レーザパワーの最適化を図ったとしても光ディスク面内の記録膜特性のばらつきや反り等の影響で記録感度が光ディスク面内でばらつくことがあり、最適記録レーザパワーも光ディスク面内で変動することになる。ＯＰＣはあくまで光ディスクの所定位置（ＰＣＡエリア）で最適記録パワーを決定したにすぎず、光ディスクの他の位置で同様に記録できる保証はない。
【０００４】
ＲＯＰＣはこのような特性ばらつきに対応するもので、記録パワーでデータを形成する際の光ディスクからの戻り光量をサンプリングし、この戻り光量が目標値に一致するように記録パワーをフィードバック補正する。一般に、戻り光量の評価はレベルＢとよばれる光量で評価され、レベルＢは光ディスクにピットが形成された後の回折された戻り光量を示す。
【０００５】
図９には、記録パルス（ａ）と戻り光信号（ｂ）が示されている。記録パワーを印加すると、印加初期では未だピットが形成されていないため戻り光量も大きくなる。ピットが形成され始めると、ピットによりレーザ光が回折され、戻り光量も減少する。ピットが形成されるとその戻り光量もある一定値に安定する。この安定した戻り光量がレベルＢである。レベルＢの値を目標値に一致させることで、記録感度が変動しても同じようなピットを形成することができる。
【０００６】
【発明が解決しようとする課題】
このように、ＯＰＣ及びＲＯＰＣを用いることで、記録パワーの最適化を図ることが可能であるが、例えば光ディスク面内の記録膜特性ばらつきが比較的大きい場合、ＲＯＰＣで戻り光量を目標値に一致させるために必要な記録レーザパワーが光ディスクのある領域においてＬＤの最大許容パワーを越えてしまう場合があり得る。このような場合、本来の最適記録パワーではなくＬＤの最大許容パワーでデータを記録せざるを得ず、ＲＯＰＣによる記録パワー制御の効果が減じられ、光ディスク全域にわたって高品質なデータ記録が困難となる問題があった。
【０００７】
本発明は、上記従来技術の有する課題に鑑みなされたものであり、その目的は、ＲＯＰＣにより記録パワーを制御する際に、必要な記録パワーがＬＤの最大許容パワーを越えるような場合であっても、データの記録品質を維持することができる光ディスク装置を提供することにある。
【０００８】
【課題を解決するための手段】
上記目的を達成するために、本発明は、光ディスクの所定領域にテストデータを記録し、該テストデータの再生信号品質に基づいて最適記録パワーを設定するとともに、前記光ディスクにデータを記録する際の前記光ディスクからの戻り光量が目標値に一致するように前記最適記録パワーを増減調整する光ディスク装置であって、前記戻り光量が目標値に一致する記録パワーが最大許容パワーを超える場合に、前記光ディスクの種類に応じて定まる基準記録ストラテジから、より低いパワーでデータを記録できる低パワー記録ストラテジに変更することを特徴とする。１つの態様として、前記低パワー記録ストラテジは、前記基準記録ストラテジのパルス時間幅を増大させたストラテジとすることができる。
【０００９】
本装置において、さらに、変更前の記録ストラテジにおける記録パワーに基づき変更後の記録パワーを算出するレーザパワー設定手段とを有し、算出された前記記録パワー及び変更後の記録ストラテジでデータを記録することが好適である。
【００１０】
このとき、前記レーザパワー設定手段は、前記変更後の記録ストラテジにおける記録パワーと再生信号品質との関係を記憶する手段を有し、前記変更前の記録ストラテジにおける記録パワーで得られる再生信号品質と同等の再生信号品質が前記変更後の記録ストラテジで得られる記録パワーを前記関係に基づき算出することができる。
【００１１】
また、本装置において、さらに、変更後の記録ストラテジにおける目標値を算出する目標値設定手段とを有し、算出された前記目標値に一致するように前記変更後の記録パワーを制御することが好適である。このとき、前記目標値設定手段は、前記変更後の記録ストラテジにおける記録パワーとその戻り光量との関係を記憶する手段を有し、前記関係に基づいて前記変更後の記録パワーにおける戻り光量の目標値を算出することができる。
【００１２】
このように、本発明に係る光ディスク装置では、従来のようにある一定の記録ストラテジでデータを記録するのではなく、戻り光量が目標値に一致する記録パワーが最大許容パワーを越えてしまうような場合には、記録ストラテジを変更することでデータ記録を行う。ここで、記録ストラテジとは、レーザダイオードに供給する記録パルス波形であり、具体的には記録パルスの時間幅やデューティ、パルス振幅などを言う。記録パルス波形はピット形状を所望の形状とするためにある一定のフォーマットに従って決定される。本発明においては、この記録ストラテジを変更することで最適記録パワーの低減を図り、最大許容パワーの範囲内でデータ記録を行うものである。
【００１３】
なお、変更前の記録ストラテジに対し、変更後の記録ストラテジは必要記録レーザパワーがより少ないストラテジとすることが望ましく、このような記録ストラテジは、例えば記録パルスの時間幅を増大することで達成される。
【００１４】
一方、データ記録途中において記録ストラテジが変更された場合、形成されるピットの形状その他の記録特性に影響を及ぼすおそれがある。そこで、記録ストラテジの変更に伴い、変更前の記録ストラテジにおける記録パワーで得られていた信号品質と同等の信号品質が得られるように変更後の記録パワー及び目標値の最適化を図る。これにより、データ記録品質を維持できる。
【００１５】
【発明の実施の形態】
以下、図面に基づき本発明の実施形態について説明する。
【００１６】
＜第１実施形態＞
図１には、本実施形態にかかる光ディスク装置の要部構成ブロック図が示されている。光ディスク１０は、スピンドルモータ１２によりＣＡＶあるいはＣＬＶ制御される。
【００１７】
光ピックアップ部１４は光ディスク１０に対向して設けられ、レーザダイオード（ＬＤ）から記録パワーのレーザ光を射出して光ディスク１０にデータを記録する。データの記録は、光ディスク１０の記録膜の一部を溶融昇華してピットを形成してもよく、結晶状態を加熱急冷してアモルファス状態に遷移させることで行ってもよい。
【００１８】
データ記録時には、記録データがエンコーダ１８に供給され、エンコーダ１８にてエンコード（ＥＦＭ変調）されたデータがＬＤ駆動部１６に供給される。ＬＤ駆動部１６は、エンコードされたデータに基づき駆動信号を作成し、光ピックアップ部１４のＬＤに供給する。また、ＬＤ駆動部１６には、制御部２４からの制御信号が供給され、この制御信号により記録ストラテジ並びに記録パワーが決定される。記録ストラテジは、ＬＤに供給する記録パルスのパルス振幅や時間幅あるいはデューティであり、一般に記録すべき光ディスクの種類に応じて一義的に決定される。
【００１９】
一方、データ再生時には、光ピックアップ部１４のＬＤは再生パワー（再生パワー＜記録パワー）のレーザ光を照射し、その反射光を受光して電気信号に変換し再生ＲＦ信号を得る。再生ＲＦ信号は再生ＲＦ信号処理部２０に供給される。
【００２０】
ＲＦ信号処理部２０は、増幅アンプやイコライザ、二値化部、ＰＬＬ部などを有し、再生ＲＦ信号を二値化し、さらに同期クロックを生成してデコーダ２２に供給する。デコーダ２２は、供給されたこれらの信号に基づきデータをデコードし、再生データとして出力する。
【００２１】
また、ＲＦ信号処理部２０からの再生ＲＦ信号は、信号品質評価用に制御部２４にも供給される。なお、データ再生時には、この他にトラッキングエラー信号やフォーカスエラー信号を生成してフォーカスサーボあるいはトラッキングサーボを制御する回路、光ディスク１０に形成されたウォブル信号を再生してアドレス復調あるいは回転数制御に用いる回路もあるが、これらについては従来技術と同様であるのでその説明は省略する。
【００２２】
制御部２４は、ＬＤ駆動部１６を駆動してＯＰＣを実行するとともに、記録パワー時の戻り光量をＲＦ信号処理部からのＲＦ信号に基づき検出して、この戻り光量が目標値に一致するように制御するＲＯＰＣを実行する。具体的には、従来技術と同様に戻り光量のうちのレベルＢの値をサンプリングし、このレベルＢの値が制御部２４のメモリに予め記憶された、あるいは光ディスク１０の所定領域に予め書き込まれメモリに記憶された目標値に一致するようにＯＰＣで最適化された記録パワーをさらに増減調整する。定量的には、戻り光量のレベルＢ値が目標値より大である場合には、記録パワーが不足しているためピットが十分形成されていないと判定して記録パワーを増大させ、戻り光量のレベルＢ値が目標値よりも小である場合には、記録パワーが過剰であるため「焼きすぎ」と判定して記録パワーを減少させる。記録パワーを増大させる際、ＯＰＣにより決定された最適記録パワーがＬＤの最大許容パワーに対してマージン的に余裕があればよいが、最適記録パワーが最大許容パワー近傍である場合、あるいは光ディスク１０の記録感度のばらつきが大きい場合には、戻り光量のレベルＢ値を目標値に一致させるために必要となる記録パワーが最大許容パワーを超えてしまう場合がある。制御部２４は、このような場合に記録ストラテジを変更することで必要な記録パワーを低減し、高品質なデータ記録を維持する。
【００２３】
以下、制御部２４における処理についてより詳細に説明する。
【００２４】
図２及び図３には、制御部２４の処理フローチャートが示されている。図２はＯＰＣでの処理であり、図３はＲＯＰＣでの処理である。
【００２５】
＜ＯＰＣ＞
まず、図２において、制御部２４は光ディスク１０の所定領域に予め書き込まれたＩＤを読み取り、光ディスク１０の種類を判別する（Ｓ１０１）。光ディスク１０の種類としては、ＣＤ−ＲやＣＤ−ＲＷ、ＤＶＤ−Ｒ等の種類の他、光ディスクの製造業者も含まれる。また、再生信号品質の目標値、例えば目標β値が書き込まれている場合にはこれらも読み取る。読み取ったデータは制御部２４のメモリに記憶する。
【００２６】
次に、制御部２４は基準ストラテジＳｔｒ及び低パワーストラテジＳｔｌを設定する（Ｓ１０２）。ここで、基準ストラテジＳｔｒはＳ１０１で判別した光ディスク１０の種類に応じて決定される。また、低パワーストラテジＳｔｌは基準ストラテジＳｔｒに基づき設定され、例えば基準ストラテジＳｔｒのパルス時間幅を所定量あるいは所定比率だけ増大させたものである。具体的には、ＤＶＤ−Ｒの場合、３Ｔ信号に対して基準ストラテジＳｔｒのパルス時間幅が１．５Ｔである場合には１．６Ｔに増大させる等である。なお、４Ｔ信号より長い信号についてマルチパルスを用いる場合には、それぞれの先頭パルスの時間幅を増大させることも好適である。記録パルスの時間幅を増大させることで、その分だけ光ディスク１０に照射されるエネルギーが増大するため、必要な記録パワーが少なくてすむ。低パワーストラテジＳｔｌは、このように必要な記録パワーが基準ストラテジＳｔｒよりも少ない記録ストラテジの意味である。
【００２７】
基準ストラテジＳｔｒ及び低パワーストラテジＳｔｌを設定した後、制御部２４はＯＰＣを実行する。すなわち、光ディスク１０のＰＣＡエリア１６セクタのうち８セクタにおいて基準ストラテジＳｔｒで記録パワーを振りながらデータをテスト記録する（Ｓ１０３）。この際、ＲＯＰＣにおける戻り光量の目標値を算出するための基礎データとして、テスト記録中の戻り光量を検出する（Ｓ１０４）。戻り光量は、従来と同様にレベルＢの値をサンプリングして検出する。レベルＢのサンプリングは、各記録パワー毎に行う。
【００２８】
基準ストラテジＳｔｒでのテスト記録が完了した後、ＰＣＡ１６セクタのうち残り８セクタにおいて低パワーストラテジＳｔｌを用いてテスト記録する（Ｓ１０５）。そして、基準ストラテジＳｔｒでのテスト記録と同様、記録中の戻り光量を記録レーザパワー毎に検出する（Ｓ１０６）。Ｓ１０４及びＳ１０６で検出された各ストラテジにおける記録パワー毎の戻り光量は制御部２４のメモリに記憶される。すなわち、制御部２４のメモリには、基準ストラテジＳｔｒにおける記録パワーと戻り光量（戻り光量のレベルＢ値）との関係、及び低パワーストラテジＳｔｌにおける記録パワーと戻り光量（戻り光量のレベルＢ値）との関係が記憶される。
【００２９】
基準ストラテジＳｔｒ及び低パワーストラテジＳｔｌでのテスト記録が完了した後、各記録ストラテジで記録したテストデータを再生し、その再生ＲＦ信号から再生信号品質としてβを算出する（Ｓ１０７）。β値は、再生ＲＦ信号をＡＣ結合（直流成分を遮断した信号）した時の波形におけるピークレベルＡ１とボトムレベルＡ２とから、
【数１】
β＝（｜Ａ１｜−｜Ａ２｜）／（｜Ａ１｜＋｜Ａ２｜）
により算出される。算出された各記録パワー毎のβ値は制御部２４のメモリに記憶される。したがって、制御部２４のメモリには、基準ストラテジＳｔｒにおける記録パワーとβ値との関係、及び低パワーストラテジＳｔｌにおける記録パワーとβ値との関係も記憶される。
【００３０】
次に、制御部２４はメモリに記憶されている基準ストラテジＳｔｒにおける記録パワーとβ値との関係に基づき、目標値βｏとなる記録パワーを直線近似あるいは外挿により算出する（Ｓ１０８）。この記録パワーがＯＰＣにより算出された最適記録パワーとなる。また、制御部２４はメモリに記憶されている基準ストラテジＳｔｒにおける記録パワーと戻り光量との関係に基づき、決定された最適記録レーザパワーに対応する戻り光量（戻り光量のレベルＢ値）を算出し、この戻り光量をＲＯＰＣにおける目標値Ｂｏに設定する（Ｓ１０９）。
【００３１】
以上のようにして、基準ストラテジＳｔｒにおける最適記録パワーＰｏ及び戻り光量の目標値Ｂｏが決定される。
【００３２】
＜ＲＯＰＣ＞
図３には、決定された最適記録パワーＰｏ及び戻り光量の目標値Ｂｏに基づきＲＯＰＣによりデータ記録を行う処理が示されている。まず、制御部２４は決定された基準ストラテジＳｔｒを用い、最適記録パワーＰｏにてＬＤを駆動し、光ディスク１０にデータを記録する（Ｓ１１０）。そして、記録中の戻り光量を検出し（Ｓ１１１）、検出した戻り光量（すなわち、戻り光量のレベルＢ値）が決定された目標値Ｂｏに一致するか否かを判定する（Ｓ１１２）。目標値Ｂｏに一致する場合には、最適な記録条件でデータが記録されていることになるから再びＳ１１０に戻ってデータ記録を続行する。
【００３３】
一方、検出した戻り光量が目標値Ｂｏに一致していない場合には、記録パワーを変更する（Ｓ１１３）。具体的には、戻り光量が目標値Ｂｏよりも大きい場合には記録パワーが不足しているためピットが十分形成されていないと判定して記録パワーを増大する。また、戻り光量が目標値Ｂｏよりも小さい場合には記録パワーが過剰であると判定して記録パワーを減少する。記録パワーの変更量は所定量でもよく、目標値との差分量に応じた量としてもよい。
【００３４】
記録パワーを変更した後、この変更後の記録パワーが所定の最大許容パワーＰｌｉｍ以下であるか否かを判定する（Ｓ１１４）。なお、最大許容パワーＰｌｉｍはＬＤの物理的な限界値でもよく、マージンを考慮した許容値でもよい。最大許容パワーＰｌｉｍは予め制御部２４のメモリに記憶しておくことができる。そして、変更後の記録パワーが最大許容パワーＰｌｉｍ以下である場合には、この記録パワーで記録できることになるから、Ｓ１１０に戻って変更後の記録パワーでデータ記録する。この場合、従来のＲＯＰＣと同様の動作でデータが記録されることになる。
【００３５】
一方、変更後の記録パワーが最大許容パワーＰｌｉｍを越えている場合には、変更後の記録パワーをそのまま用いることができないため、制御部２４は記録ストラテジを今までの基準ストラテジＳｔｒからＳ１０２にて設定された低パワーストラテジＳｔｌに変更する（Ｓ１１５）。そして、低パワーストラテジＳｔｌにおける最適記録パワーを算出し（Ｓ１１６）、低パワーストラテジＳｔｌにおける最適記録パワーに対応する戻り光量の目標値を算出する（Ｓ１１７）。Ｓ１１６及びＳ１１７の処理についてはさらに詳述する。低パワーストラテジＳｔｌにおける最適記録パワー及び戻り光量の目標値を決定した後、Ｓ１１０に戻って低パワーストラテジＳｔｌにおいてデータ記録を行う。
【００３６】
図４には、図３のＳ１１６における低パワーストラテジＳｔｌでの最適記録パワー算出処理の詳細フローチャートが示されている。
【００３７】
まず、制御部２４はメモリに記憶されている基準ストラテジＳｔｒにおける記録パワーとβ値との関係に基づき、現在の記録レーザパワー、すなわち基準ストラテジＳｔｒにおけるＯＰＣにより最適化されている記録パワー（この記録パワーはＳ１１３で変更する前の記録パワーである）に対応するβ値を算出する（Ｓ１１６１）。そして、現在の記録パワーにおけるβ値を算出した後、制御部２４はメモリに記憶されている低パワーストラテジＳｔｌにおける記録パワーとβ値との関係に基づき、Ｓ１１６１で算出したβ値に対応する低パワーストラテジＳｔｌの記録パワーを算出する（Ｓ１１６２）。
【００３８】
図５には、以上述べた記録パワー算出処理が模式的に示されている。図において、横軸は記録パワー、縦軸はβ値であり、基準ストラテジにおける記録パワーとβ値との関係１００及び低パワーストラテジＳｔｌにおける記録パワーとβ値との関係２００が示されている。基準ストラテジＳｔｒにおける記録パワーとβ値との関係１００に基づき、現在の記録パワーＰｕｐ（Ｐｕｐとしたのは、最適記録パワーＰｏよりもＲＯＰＣによりパワーが増大されたことを意味する）に対応するβ値であるβｕｐを算出する。このβｕｐは、一般にβｏに一致しない。そして、低パワーストラテジＳｔｌにおける記録パワーとβ値との関係２００を用いて、このβｕｐが得られる記録パワーＰＬを算出する。算出されたＰＬは基準ストラテジＳｔｒにおいて最適記録条件で得られた再生信号品質βｕｐと同等の再生信号品質が得られる記録パワーであり、これにより記録ストラテジを基準ストラテジＳｔｒから低パワーストラテジＳｔｌに変更しても、再生信号品質を維持することができる。
【００３９】
また、図６には図３におけるＳ１１７の処理、すなわち低パワーストラテジＳｔｌにおける最適記録パワーでＲＯＰＣを実行するための戻り光量の目標値を算出する処理が模式的に示されている。図６において、横軸は記録パワー、縦軸は戻り光量（レベルＢ値）であり、制御部２４のメモリに記憶されている低パワーストラテジＳｔｌにおける記録パワーと戻り光量との関係３００が示されている。記録パワーを増大させるとピットが形成され始めるため戻り光量は減少し、やがて極小となる。さらに記録パワーを増大させるとピットはそれ以上形成されず、戻り光量も記録パワーの増大にしたがって増大（図中破線で示す）していく。低パワーストラテジＳｔｌにおける最適記録パワーＰＬに対応する戻り光量ＢＬは一義的に決定され、ＢＬを目標値とすることで低パワーストラテジＳｔｌにおけるＲＯＰＣを実行することができる。
【００４０】
このように、本実施形態では、記録ストラテジを低パワーストラテジＳｔｌに変更するとともに、変更前の記録ストラテジにおける記録条件を維持するように記録パワーと戻り光量の目標値を設定するので、データ記録品質を維持することができる。
【００４１】
＜第２実施形態＞
上述した第１実施形態においては、記録ストラテジを基準ストラテジＳｔｒから低パワーストラテジＳｔｌに変更する際に、低パワーストラテジＳｔｌにおいても基準ストラテジＳｔｒと同一のβ値が得られる記録パワーを最適記録パワーに決定して記録パワーを切り替えていたが、本実施形態においては記録ストラテジが異なる場合には再生信号品質の目標値も異なるという考えに基づき、低パワーストラテジＳｔｌにおける最適記録パワーと戻り光量の目標値を決定する方法について示す。光ディスク装置の全体構成（図１）及び全体処理フローチャート（図２及び図３）については第１実施形態と同様であるためその説明は省略する。
【００４２】
図７には、本実施形態におけるＳ１１６の処理、すなわち低パワーストラテジＳｔｌにおける記録パワー算出処理の詳細フローチャートが示されている。まず、制御部２４は基準ストラテジＳｔｒにおける記録パワーとβとの関係に基づき、現在の記録パワーにおけるβ値を算出する（Ｓ１１６３）。この処理は、上述したＳ１１６１の処理と同様である。
【００４３】
次に、算出したβ値と基準ストラテジＳｔｒにおける目標値βｏ、及び低パワーストラテジＳｔｌにおける目標値βＬｏから低パワーストラテジにおける目標β値を算出する（Ｓ１１６４）。具体的には、現在の記録パワーにおけるβ値とβｏとの差分を算出し、この差分量を低パワーストラテジＳｔｌにおける目標値βＬｏに加算して新たな目標β値を算出する。目標β値を算出した後、低パワーストラテジＳｔｌにおける記録パワーとβとの関係に基づき、Ｓ１１６４で算出された目標β値に対応する記録レーザパワーを算出する（Ｓ１１６５）。
【００４４】
図８には、以上述べた記録パワー算出処理が模式的に示されている。図８は図５に対応するものであり、横軸は記録パワー、縦軸はβ値であり、基準ストラテジにおける関係１００及び低パワーストラテジにおける関係２００が示されている。現在の記録パワーＰｕｐに対応するβ値βｕｐを基準ストラテジＳｔｒの関係１００から算出する。そして、算出されたβｕｐと記録ストラテジにおける目標値β０との差分量（βｕｐ−βｏ）を算出する。この差分量は、基準ストラテジＳｔｒにおけるＲＯＰＣの結果として生じた再生信号品質の変動量である。一方、低パワーストラテジＳｔｌにおける目標値がβＬｏであるとすると、記録ストラテジを基準ストラテジＳｔｒから低パワーストラテジＳｔｌに変更した後においても変更する前と同等の記録条件を得るためには、再生信号品質の目標値に対しても基準ストラテジＳｔｒにおける変動量を反映させる必要がある。そこで、低パワーストラテジＳｔｌにおける目標値βＬｏに変動量を加算して、
【数２】
目標β値＝βＬｏ＋（βｕｐ−β０）
とする。そして、この目標β値が得られる記録レーザパワーＰＬを低パワーストラテジにおける最適記録パワーに決定する。目標β値としては、
【数３】
目標β値＝βＬｏ・βｕｐ／βｏ
とすることもできる。
【００４５】
なお、低パワーストラテジＳｔｌにおける最適記録パワーを決定した後、ＲＯＰＣの目標戻り光量値は第１実施形態と同様の方法で決定することができる。すなわち、Ｓ１１６５で決定された記録パワーＰＬに対応する戻り光量値を算出し、これをＲＯＰＣにおける目標値とすればよい。
【００４６】
本実施形態の方法によっても、記録ストラテジの変更前後において同等の再生信号品質が得られ、データの記録品質を維持することができる。
【００４７】
以上、本発明の実施形態について説明したが、本発明はこれに限定されるものではなく種々の変更が可能である。例えば、本実施形態では、記録ストラテジ変更前の記録パワーで得られたβ値が変更後の記録ストラテジでも得られるように記録パワーを決定しているが、基準ストラテジにおける現在の記録パワーで得られる戻り光量が低パワーストラテジでも得られるように記録パワーを決定してもよい。具体的には、制御部２４のメモリには基準ストラテジＳｔｒにおける記録パワーと戻り光量との関係（第１の関係）、及び低パワーストラテジＳｔｌにおける記録パワーと戻り光量との関係（第２の関係）が記憶されているので、第１の関係に基づき現在の記録パワーに対応する戻り光量Ｐを算出し、第２の関係に基づき当該戻り光量Ｐが得られる記録パワーを算出して低パワーストラテジＳｔｌにおける最適記録パワーとすることができる。ＲＯＰＣにおける目標値も最適記録パワーに対応する戻り光量Ｐとすればよい。
【００４８】
また、本実施形態において、基準ストラテジＳｔｒに応じて低パワーストラテジＳｔｌを設定しているが、低パワーストラテジＳｔｌを設定する際に、記録パワーあるいは戻り光量の目標値の変換係数を同時に設定することも可能である。例えば、記録パワーの変換係数をα（α＜１）、目標値の変換係数をγとし、Ｓ１１６では低パワーストラテジの記録パワーを現在の記録パワー（基準ストラテジＳｔｒにおける記録パワー）に係数αを乗じることで算出し、Ｓ１１７では低パワーストラテジＳｔｌのＲＯＰＣにおける目標値を現在の目標値に係数γを乗じることで算出する等である。
【００４９】
また、本実施形態では、基準ストラテジＳｔｒから低パワーストラテジＳｔｌに変更しているが、この低パワーストラテジＳｔｌを複数個設定することも可能である。すなわち、基準ストラテジＳｔｒから第１の低パワーストラテジＳｔｌに変更し、第１の低パワーストラテジＳｔｌにおいて目標値を得るために必要な記録パワーが最大許容パワーを超える場合に、第２の低パワーストラテジＳｔｌに変更してデータを記録する等である。
【００５０】
また、本実施形態では、低パワーストラテジＳｔｌとして基準ストラテジＳｔｒのパルス時間幅を増大させたものを用いているが、基準ストラテジＳｔｒがパルス初期においてパルス振幅を増大させるブーストパルスを用いている場合、このブーストパルスのパルス時間幅を増大させてもよい。さらに、基準ストラテジＳｔｒとしてＤＶＤのようにフロントパルス、エンドパルス及びその間のマルチパルスというように複数のパルスを用いている場合には、フロントパルスのパルス幅を増大させる他、マルチパルスのデューティを変化させることで低パワーストラテジＳｔｌを設定することもできる。
【００５１】
さらに、本実施形態では、再生信号品質としてβ値を用いているが、ジッタあるいはエラーレートを用いることもできる。
【００５２】
【発明の効果】
以上説明したように、本発明によれば必要な記録パワーが最大許容パワーを越える場合であっても、最適の記録条件でデータを記録することができ、データの記録品質を維持することができる。
【図面の簡単な説明】
【図１】  実施形態にかかる光ディスク装置の構成ブロック図である。
【図２】  第一実施形態における処理フローチャート（その１）である。
【図３】  第一実施形態における処理フローチャート（その２）である。
【図４】  図３におけるＳ１１６の詳細処理フローチャートである。
【図５】  図３におけるＳ１１６の処理説明図である。
【図６】  図３におけるＳ１１７の処理説明図である。
【図７】  第２実施形態におけるＳ１１６の処理フローチャートである。
【図８】  第２実施形態におけるＳ１１６の処理説明図である。
【図９】  戻り光量の説明図である。
【符号の説明】
１０  光ディスク、１２  スピンドルモータ、１４  光ピックアップ部、１６ＬＤ駆動部、１８  エンコーダ、２０  ＲＦ信号処理部、２２  デコーダ、２４  制御部。
【図１】
0003772709.tif 000002
【図２】
0003772709.tif 000003
【図３】
0003772709.tif 000004
【図４】
0003772709.tif 000005
【図５】
0003772709.tif 000006
【図６】
0003772709.tif 000007
【図７】
0003772709.tif 000008
【図８】
0003772709.tif 000009
【図９】
0003772709.tif 000010